(57)【特許請求の範囲】
【請求項１】
回転するトレイ部と、回転のための軸部と、軸部を受ける軸受け部と、取付対象に固定するための固定部とを備えた回転トレイであって、トレイ部の下方で回転方向に対して略直交する方向の回転ブレを抑制するトレイ受け部を備えており、トレイ部の回転を規制するロック機構を備えていることを特徴とする回転トレイ。
【請求項２】
回転するトレイ部と、回転のための軸部と、軸部を受ける軸受け部と、取付対象に固定するための固定部とを備えた回転トレイであって、トレイ部の下方で回転方向に対して略直交する方向の回転ブレを抑制するトレイ受け部を備えており、トレイ受け部の上面あるいはトレイ部の下面に、回転軌道に沿った凸条部が形成されており、トレイ部の回転を規制するロック機構を備えていることを特徴とする回転トレイ。
【請求項３】
請求項１又は２に記載の回転トレイであって、トレイ部の回転方向の両側に対して、ロック機構が両側に設けられていることを特徴とする回転トレイ。
【請求項４】
請求項１から３のいずれかに記載の回転トレイであって、取付対象が板材であることを特徴とする回転トレイ。
【請求項５】
請求項４に記載の回転トレイであって、板材が引き出しの背板であることを特徴とする回転トレイ。
【発明の詳細な説明】
【技術分野】
【０００１】
本発明は、キッチンのキャビネット等における引き出しの背板等に固定具により固定する扇形状の回転トレイに関する。
【背景技術】
【０００２】
従来、キッチンのキャビネットや収納棚等において収納部材が水平に回転可能に支持された構成は知られている。例えば、支持軸に網籠を水平面内で回転可能に支持した構成が知られている（特許文献１、２参照）。また、可動レールに棚を支持し、可動レール上を棚が移動可能で、水平回転し得るようにした構成も知られている（特許文献３参照）。
【０００３】
【特許文献１】特開２００２−３００９２６号公報
【特許文献２】特開２００６−４１８号公報
【特許文献３】特開２００５−２２４３７２号公報
【発明の開示】
【発明が解決しようとする課題】
【０００４】
キッチンのキャビネット等の引き出しにおいて、大きな物の収納を出来るような深さに設計された構成のものでは、小さな物を収納すると、上部の空間が無駄となるような問題があった。そこで、上部空間を利用して小さな物を収納するトレイ等の収納部材を引き出しに設ければ、収納量が増え、使用上も便利である。
【０００５】
ところで、上記のとおり、キッチンのキャビネットや収納棚等において収納部材が水平に回転可能に支持された構成は従来の知られているが、上記従来技術のようにキャビネット等に固定された支持軸に回転可能に取り付けられた網籠や棚のような構成ではなく、引き出しに簡単に装着でき、しかも水平に回転可能な簡単な構造の回転トレイがあれば、大きな物の収納が出来るような深さに設計された引き出しで、小さな物が収納された場合でも、上部の空間が無駄となるようなことがなく、使用勝手がよくなる。
【０００６】
本件発明は、このように、引き出し等に簡単に装着でき、しかも水平に回転可能な簡単な構造の回転トレイを実現することを課題とするものである。
【課題を解決するための手段】
【０００７】
本発明は上記課題を解決するために、回転するトレイ部と、回転のための軸部と、軸部を受ける軸受け部と、取付対象に固定するための固定部とを備えた回転トレイであって、トレイ部の下方で回転方向に対して略直交する方向の回転ブレを抑制するトレイ受け部を備えており、トレイ部の回転を規制するロック機構を備えていることを特徴とする回転トレイを提供する。
【０００８】
回転するトレイ部と、回転のための軸部と、軸部を受ける軸受け部と、取付対象に固定するための固定部とを備えた回転トレイであって、トレイ部の下方で回転方向に対して略直交する方向の回転ブレを抑制するトレイ受け部を備えており、トレイ受け部の上面あるいはトレイ部の下面に、回転軌道に沿った凸条部が形成されており、トレイ部の回転を規制するロック機構を備えていることを特徴とする回転トレイを提供する。
【００１０】
上記回転トレイでは、トレイ部の回転方向の両側に対して、ロック機構が両側に設けられている構成とすることが好ましい。
【００１１】
上記回転トレイでは、取付対象が板材である構成とすることが好ましい。
【００１２】
上記回転トレイでは、板材が引き出しの背板である構成とすることが好ましい。
【発明の効果】
【００１３】
本発明に係る回転トレイによれば、次のような効果が生じる。
（１）大きな物を収納できる深い引き出しに用いた場合でも、上部の空間を小物入れの収納空間として有効に使用することが可能となる。
（２）キャビネットの引き出し等に簡単に装着できるので、既存の引き出し等にも利用できる。
（３）トレイ部の下方にトレイ受け部を備えているので、回転するトレイ部の回転方向に対して略直交する方向の回転ブレを抑制することができる。
【発明を実施するための最良の形態】
【００１４】
本発明に係る回転トレイを実施するための最良の形態を実施例に基づき図面を参照して、以下説明する。
【実施例１】
【００１５】
図１（ａ）、（ｂ）は、本発明に係る回転トレイ１を、キャビネット２の引き出し３の背板６に装着した状態を示す図である。引き出し３は、前板４、側板５、背板６及び底板７から成る。回転トレイ１は、トレイ８と支持具９とから成る。
【００１６】
トレイ８は、図２（ａ）にその表面側の斜視図を示し、図２（ｂ）にその裏面側の斜視図を示すが、回転するトレイ部１０と、軸受け部１１と、ロック部１２とを備えている。トレイ部１０は、平面視で扇形状をしており、収納用の凹所１３が形成されている。この収納用の凹所１３に、小さな物品を収納することが可能である。
【００１７】
トレイ部１０の扇形状の要（かなめ）となる角部には、収納用の凹所１３の左右の上縁部２４、２４’から連成する三角形の頂板部１４が形成されている。この頂板部１４の裏面に、図２（ｂ）に示すように、軸受け部１１とロック部１２が形成されている。
【００１８】
軸受け部１１は、下方に開口した円筒状の軸受１５が形成されている。ロック部１２は、平面視で略ハの字型に配置された左右一対のロック凸部（左側ロック凸部１６と右側ロック凸部１６’）を備えている。
【００１９】
支持具９は、図３に示すように、上下方向に延びる支持板１７と、この支持板１７の前面に対して水平に固定されたトレイ受け部１８と、トレイ部１０を回転するための軸部１９と、取付対象に固定するための固定部２０と、支持板１７の前面に形成された一対のロック用突起（左側ロック用突起２１と右側ロック用突起２１’）とを備えている。
【００２０】
軸部１９は、トレイ受け部１８の上面に、垂直に延びるように突設されており、トレイ８の軸受１５に回転可能に嵌合されている。固定部２０は、支持板１７の上部がフック状に屈曲して形成されており、実施例１では、取付対象引き出し３の背板６に係合して装着できる構成となっている。
【００２１】
左側ロック凸部１６と左側ロック用突起２１は、互いに係脱可能な形状及び位置に設けられており、左側ロック機構２２（図４及び図５参照）を構成している。また、右側のロック凸部１６’と右側ロック用突起２１’は、互いに係脱可能な形状及び位置に設けられており、右側ロック機構２２’（図４及び図５参照）を構成している。
【００２２】
トレイ受け部１８は、トレイ部１０が軸部１９を中心にしてほぼ水平面内で回転する際に、その下面を摺動可能に支持し、しかもトレイ部の下方で回転面（回転方向）に対して略直交する方向（上下方向）の回転ブレを抑制するものである。
【００２３】
トレイ受け部１８の上面には、トレイ受け部１８の回転軌道に沿って平面視で湾曲に形成された凸条部２３が形成されている。これにより、トレイ部１０は、凸条部２３上で摺動するようにして回転する際に、トレイ部１０とトレイ受け部１８の上面との摺動面の接触面積が少なくなるから、スムーズに回転することが可能となる。
【００２４】
なお、この実施例１では、凸条部２３は、トレイ受け部１８の上面に設けたが、トレイ受け部１８の上面ではなく、トレイ部１０の下面に設けても、トレイ部１０とトレイ受け部１８の摺動面の接触面積が少なくなるので、同様の効果が生じる。
【００２５】
回転トレイ１を組み立てる場合は、トレイ部１０を、その軸受１５内に支持具９の軸部１９を挿入するようにして、支持具９のトレイ受け部１８上に載置する。これにより、トレイ部１０は、支持具９のトレイ受け部１８上に回転可能に取り付けられて組み立てられる。
【００２６】
（作用）
以上の構成から成る回転トレイ１の作用を、その使用状態を通して以下に説明する。回転トレイ１を引き出し３に装着する際には、固定部２０を引き出し３の背板６に嵌合して取り付ける。この際、回転トレイ１を、引き出し３の正面に向かって、背板６の右側端部に取り付けてもよいし（図４参照）、背板６の左側端部に取り付けてもよい（図５参照）。
【００２７】
回転トレイ１を背板６の右側端部に取り付ける場合は、図１及び図４に示すように、支持具９の固定部２０を背板６の右端部に嵌合して取り付ける。そして、図４（ａ）に示すように、トレイ部１０の上面側（表面側）から見て収納用の凹所１３の左側の上縁部２４を、背板６に沿うようにして、トレイ部１０の上面側から見て左側に位置する左側ロック凸部１６を、支持具９の上面側から見て左側に位置する左側ロック用突起２１に係合する。
【００２８】
この場合、図４（ａ）の位置（トレイ部１０が引き出し３の内側の位置）で、トレイ部１０の収納用凹所１３に物品を収納したり、取り出したりして使用してもよいが、必要に応じて、図４（ｂ）の位置（トレイ部１０の一部が引き出し３の外側の位置）でトレイ部１０の収納用凹所１３に物品を収納したり、取り出したりして使用してもよい。或いは、図４（ａ）の位置と図４（ｂ）の位置の間の位置で使用してもよい。
【００２９】
図４（ａ）の位置から図４（ｂ）の位置に変更して使用する場合は、トレイ部１０の左側ロック凸部１６を、支持具９の左側ロック用突起２１からの係合をはずす。そして、トレイ部１０を、図４（ａ）の位置から図４（ｂ）の位置まで矢印に示すように、軸部１９を中心に反時計針方向に回転して、上面側から見て右側に位置する右側ロック凸部１６’を、支持具９の上面側から見て右に位置する右側ロック用突起２１’に係合させる。トレイ部１０は、軸部１９を中心に回転する際に、トレイ受け部１８の凸状部２３上で摺動するので、上下方向の回転ブレ（ガタツキ）がなくスムースに回転できる。
【００３０】
回転トレイ１を背板６の左側端部に取り付ける場合は、図５に示すように、支持具９の固定部２０を背板６の左側端部に嵌合して取り付ける。そして、図５（ａ）に示すように、トレイ部１０の上面側（表面側）から見て収納用の凹所１３の右側の上縁部２４’を背板６に沿うようにして、トレイ部１０の上面側から見て右側に位置する右側ロック凸部１６’を、支持具９の上面側から見て右側に位置する右側ロック用突起２１’に係合する。
【００３１】
この場合、図５（ａ）の位置（トレイ部１０が引き出し３の内側の位置）でトレイ部１０の収納用凹所１３に物品を収納したり、取り出したりして使用してもよいが、必要に応じて、図５（ｂ）（トレイ部１０の一部が引き出し３の外側の位置）の位置でトレイ部１０の収納用凹所１３に物品を収納したり、取り出したりして使用してもよい。
【００３２】
図５（ａ）の位置から図５（ｂ）の位置に変更して使用する場合は、トレイ部１０の右側ロック凸部１６’を、支持具９の右側ロック用突起２１’からの係合をはずして、トレイ部１０を、図５（ａ）から図５（ｂ）の位置まで矢印に示すように、軸部１９を中心に時計針方向に回転して、上面側から見て右側に位置する右側ロック凸部１６を、支持具９の上面側から見て右に位置する右側ロック用突起２１に係合する。
【実施例２】
【００３３】
図６〜図８は、本発明に係る回転トレイの実施例２を説明する図である。この実施例２の回転トレイ３１は、実施例１と同様に、トレイ３２と支持具３３とから成るが、それらの構成は、実施例１と多くの部分は共通するので、相違する構成を中心に以下説明する。
【００３４】
トレイ３２は、図６（ａ）、（ｂ）にその斜視図を示すが、回転するトレイ部３４と、軸部３５と、ロック部３６とを備えている。トレイ部３４は、実施例１と同様に平面視で扇形状をしており、収納用の凹所３７が形成されている。この収納用の凹所３７に、小さな物品を収納することが可能である。
【００３５】
トレイ部３４の扇形状の要（かなめ）となる角部３８には、角部３８の外側に面して、上部くぼみ３９と下部くぼみ４０の２つのくぼみが、上下２段に形成されている。上部くぼみ３９の頂面から上方軸部４１が、下部くぼみ４０の頂面から下方軸部４２が、それぞれ垂下するように突設されている。トレイ部３４の前方（扇形の円弧に該当する部分）から見て左側の側面４３の角部３８に近い位置にはロック凸部４４が突設されている。
【００３６】
一方、支持具３３は、図６（ｃ）にその斜視図を示すように、実施例１と同様に上下方向に延びる支持板４５と、この支持板４５の前面に対して水平に固定されたトレイ受け部４６と、トレイ部３４を回転するために上方軸部４１及び下方軸部４２を受け入れる上方軸受け部４７及び下方軸受け部４８と、取付対象に固定するためのフック状の固定部４９と、支持板４５の左側前面に形成されたロック用突起５０とを備えている。
【００３７】
上方軸受け部４７及び下方軸受け部４８は、トレイ部３４の上部くぼみ３９と下部くぼみ４０に装入可能な位置において、支持板４５の右側縁に沿って上下２段で設けられ、しかもそれぞれ軸受け孔５１が形成されている。この軸受け孔５１にトレイ受け部４６の上方軸部４１及び下方軸部４２が嵌合されて回転可能に支持される。
【００３８】
支持具３３のロック用突起５０は、トレイ部３４のロック凸部４４に対して係脱可能な形状及び位置に設けられている。フック状の固定部４９には固定用のビス孔５２が形成されている。トレイ受け部４６の上面には、実施例１と同様に、トレイ部３４を滑らかに摺動させるための凸条部５３が形成されていることが好ましい。
【００３９】
以上の説明では、後記する作用で説明するとおり、引き出し３の正面に向かって、背板６の右側端部に取り付ける回転トレイ（右端取り付け用の回転トレイ３１）を説明した。
【００４０】
しかし、背板６の左側端部に取り付ける回転トレイ（左端取り付け用の回転トレイ３１’）の場合は、図８（ａ）、（ｂ）に示すように、ロック凸部４４’を、トレイ部３４の前方（扇形の円弧に該当する部分）から見て右側の側面５４の角部３８に近い位置に突設し、支持具３３のロック用突起５０’を支持板４５の右側に形成するとともに、上方軸受け部４７’及び下方軸受け部４８’は、図示はしないが、トレイ部３４の上部くぼみ３９と下部くぼみ４０に装入される位置において支持板４５の左側縁に沿って上下２段で設けられる。
【００４１】
（作用）
以上の構成から成る回転トレイ３１、３１’の作用を、その使用状態を通して以下に説明する。右端取り付け用の回転トレイ３１を引き出し３に装着する際には、図６（ａ）、図７（ａ）に示すように、固定部４９を、引き出し３の背板６に正面向かって右側端部に嵌合して取り付ける。
【００４２】
そして、トレイ部３４の上面側（表面側）から見て収納用の凹所３７の左側の上縁部を、背板６に沿うようにして、トレイ部３４のロック凸部４４を、図７（ａ）に示すように、支持具３３のロック用突起５０に係合する。そして、必要に応じて、図７（ｂ）に示すように、トレイ部３４を軸部３５を中心に反時計針方向に回転して、引き出し３の外側（右側）の位置で使用してもよい。
【００４３】
なお、左端取り付け用の回転トレイ３１’を使用する場合は、図８（ａ）に示すように、トレイ部３４の上面側（表面側）から見て収納用の凹所３７の右側の上縁部５４を、背板６に沿うようにして、トレイ部３４のロック凸部４４’を、支持具３３の上面側から見て右側に位置するロック用突起５０’に係合する。そして、必要に応じて、図８（ｂ）に示すように、トレイ部３４を軸部３５を中心に時計針方向に回転して引き出しの外側の位置で使用してもよい。
【００４４】
上記実施例１では、トレイ部の回転を規制するロック機構を、トレイ部の回転方向の両側に設けたので、引き出しの背板の左右両側の端部に取り付けることが可能であるが、実施例２のように、ロック機構を片側だけに設け、背板の右端取り付け用回転トレイと、左端取り付け用回転トレイとを区別してもよい。
【００４５】
以上、本発明に係る回転トレイを実施するための最良の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００４６】
本発明に係る回転トレイは、上記のような構成であるから、キッチンのキャビネットの引き出しを始めとして、洗面用のキャビネット、作業用のキャビネット、事務用のキャビネット等、収納部を備えたキャビネットに設けられた引き出し等に適用可能である。
【図面の簡単な説明】
【００４７】
【図１】本発明の実施例１を説明する図であり、（ａ）、（ｂ）は、回転トレイを引き出しに装着した状態を示す図である。
【図２】本発明の実施例１の回転トレイのトレイ部を説明する図であり、（ａ）はトレイ部を上方から見た斜視図であり、（ｂ）はトレイ部を下方から見た斜視図である。
【図３】本発明の実施例１の回転トレイの支持具を説明する斜視図である。
【図４】本発明の実施例１を説明する図であり、（ａ）、（ｂ）は、回転トレイを引き出しに装着する一態様を示す図である。
【図５】本発明の実施例１を説明する図であり、（ａ）、（ｂ）は、回転トレイを引き出しに装着する別の態様を示す図である。
【図６】本発明の実施例２を説明する図であり、（ａ）は回転トレイを引き出しに装着した状態を示す斜視図であり、（ｂ）はトレイ部の斜視図であり、（ｃ）は支持具の斜視図である。
【図７】本発明の実施例２の使用状態を説明する図であり、（ａ）、（ｂ）は、右端取り付け用の回転トレイの使用態様を示す図である。
【図８】本発明の実施例２の使用状態を説明する図であり、（ａ）、（ｂ）は、左端取り付け用の回転トレイの使用態様を示す図である。
【符号の説明】
【００４８】
１、３１  回転トレイ                                 
２  キャビネット                               
３  引き出し                                   
４  前板                                       
５  側板                                       
６  背板                                       
７  底板                                       
８、３２  トレイ                                     
９、３３  支持具                                     
１０、３４  トレイ部                                 
１１  軸受け部                                 
１２、３６  ロック部                                 
１３、３７  収納用の凹所                             
１４  頂板部                                   
１５  軸受                                     
１６、４４  左側ロック凸部                           
１６’、４５’  右側ロック凸部                           
１７、４５  支持板                                   
１８ 、４６ トレイ受け部                             
１９、３５  軸部                                   
２０、４９  支持具の固定部                           
２１、５０  左側ロック用突起                         
２１’、５０’  右側ロック用突起                         
２２  左側ロック機構
２２’  右側ロック機構                                 
２３、５３  凸条部                                     
２４  トレイ部の収納用の凹所の左側の上縁部       
２４’  トレイ部の収納用の凹所の右側の上縁部
３１  右端取り付け用の回転トレイ
３１’  左端取り付け用の回転トレイ
３８  トレイ部の要となる角部
３９  上部くぼみ
４０  下部くぼみ４０
４１  上方軸部
４２  下方軸部
４３  トレイ部の左側の側面
４７、４７’  上方軸受け部
４８、４８’  下方軸受け部
５１  軸受け孔
５２  ビス孔
５４  トレイ部の右側の側面     
【図１】
0005228473.tif 000002
【図２】
0005228473.tif 000003
【図３】
0005228473.tif 000004
【図４】
0005228473.tif 000005
【図５】
0005228473.tif 000006
【図６】
0005228473.tif 000007
【図７】
0005228473.tif 000008
【図８】
0005228473.tif 000009